(57)【要約】【課題】交換レンズ毎に異なる先端部のねじ径に対応する複数のレンズキャップやフィルタ等のアクセサリーを用意する煩わしさを解消することを目的とする。【解決手段】板状の第１可動部材と（２）、板状の第２可動部材（２ａ）と、第１可動部材（２）および第２可動部材（２ａ）の板面において一部円環状に形成され、外周に螺合部を有する第１係合部（３）と、第１可動部材（２）および第２可動部材（２ａ）の板面において一部円環状に形成され、外周に螺合部を有する第２係合部（３ａ）と、第１可動部材（２）および第２可動部材（２ａ）を付勢する付勢手段（５）と、第１可動部材（２）、第２可動部材（２ａ）および付勢手段（５）を保持する円板状の保持部材（１）とを具備し、第１係合部、第２係合部および保持部材が略同心円状に形成され、付勢手段が、第１可動部材および第２可動部材を同心円の中心から離れる方向に付勢することを特徴とする。【選択図】　　　図１
2004077770.tif 000002
【特許請求の範囲】
【請求項１】
板状の第１可動部材と、
板状の第２可動部材と、
前記第１可動部材および前記第２可動部材の板面において一部円環状に形成され、外周に螺合部を有する第１係合部と、
前記第１可動部材および前記第２可動部材の板面において一部円環状に形成され、外周に螺合部を有する第２係合部と、
前記第１可動部材および前記第２可動部材を付勢する付勢手段と、
前記第１可動部材、前記第２可動部材および前記付勢手段を保持する円板状の保持部材とを具備し、
前記第１係合部、前記第２係合部および前記保持部材が略同心円状に形成され、
前記付勢手段が、前記第１可動部材および前記第２可動部材を前記同心円の中心から離れる方向に付勢することを特徴とするレンズキャップ。
【請求項２】
前記第１可動部材および第２可動部材の板面において一部円環状に形成され、外周に螺合部を有する第３係合部と、
前記第１可動部材および第２可動部材の板面において一部円環状に形成され、外周に螺合部を有する第４係合部を更に具備することを特徴とする請求項１に記載のレンズキャップ。
【請求項３】
一部円環状の前記第１係合部と一部円環状の前記第２係合部とが、略同一の径であり、一部円環状の前記第３係合部と一部円環状の前記第４係合部とが略同一の径であり、前記第１係合部および前記第２係合部の径と前記第３係合部および前記第４係合部の径とが、異なることを特徴とする請求項２に記載のレンズキャップ。
【請求項４】
前記第１係合部および前記第２係合部が一のフィルタ径に対応しているときに、前記第３係合部および前記第４係合部が他のフィルタ径に対応することを特徴とする請求項２に記載のレンズキャップ。
【請求項５】
前記保持部材の中央部に貫通孔を有することを特徴とする請求項１に記載のレンズキャップ。
【請求項６】
前記保持部材の中央部が光透過性材料から成ることを特徴とする請求項１に記載のレンズキャップ。
【発明の詳細な説明】
【０００１】
【発明の属する技術分野】
本発明は、レンズ交換式カメラに最適なレンズキャップに関する。
【０００２】
【従来の技術】
レンズ交換式カメラ用のレンズキャップとして、内側に突起を設けることにより、フード等が取り付けられたレンズに対して容易かつ確実な着脱を可能としたレンズキャップが、実願平６−９８５０号公報に掲載されている。
【０００３】
一般的にレンズ先端部は、フィルタやフード等のアクセサリの取り付けを可能とするために、各種の径のメスねじ部を有している。レンズキャップも、それぞれのねじ部に適合した径のオスねじ部を有し、ねじ部の嵌合によりキャップを確実に固定するものが大多数を占める。
【０００４】
【発明が解決しようとする課題】
しかしながら、従来のレンズキャップでは異なるねじ径を有するレンズに対して、それぞれのねじ径を有するレンズキャップを用意する必要があった。そのため、交換レンズ方式のカメラを使用していて、ねじ径が異なるレンズに交換する際には、異なるねじ径の別々のキャップの着脱を必要がある。使用していた交換レンズのねじ径に合ったレンズキャップの収納場所を失念した場合には、レンズ交換作業が迅速に行えず、シャッターチャンスを逃す畏れがあった。
【０００５】
また、レンズキャップそのものを紛失した場合には、撮影に使用していない交換レンズをレンズキャップが無い状態で保管せざるをえず、レンズ最前部や交換レンズに取り付けられたフィルタ等に汚れの付着、傷の発生等により、レンズの光学性能を低下させる畏れがあった。
【０００６】
また、保護、透過率特性補正、偏向、色補正、クローズアップ、特殊効果等の性能を有するフィルタが多種市販されているが、異なるねじ径を持つレンズ毎にそれぞれ用意する必要があった。また、ねじ径を変換するリングを用いるものもあるが、キャップとは別に用意する必要があり、ねじ径が大小異なる双方のねじにねじ込んで使用するため、必ずしも使い勝手の良いものではなかった。
【０００７】
本発明は、上記の問題点に鑑みてなされたもので、交換レンズ毎に異なる先端部のねじ径に対応する複数のレンズキャップやフィルタ等のアクセサリーを用意する煩わしさを解消することを目的とする。
【０００８】
【課題を解決するための手段】
この目的を達成するために、請求項１の発明によるレンズキャップは、板状の第１可動部材と（２）、板状の第２可動部材（２ａ）と、第１可動部材（２）および第２可動部材（２ａ）の板面において一部円環状に形成され、外周に螺合部を有する第１係合部（３）と、第１可動部材（２）および第２可動部材（２ａ）の板面において一部円環状に形成され、外周に螺合部を有する第２係合部（３ａ）と、第１可動部材（２）および第２可動部材（２ａ）を付勢する付勢手段（５）と、第１可動部材（２）、第２可動部材（２ａ）および付勢手段（５）を保持する円板状の保持部材（１）とを具備し、第１係合部、第２係合部および保持部材が略同心円状に形成され、付勢手段が、第１可動部材および第２可動部材を同心円の中心から離れる方向に付勢することを特徴とする。
【０００９】
請求項２の発明によるレンズキャップは、請求項１において、第１可動部材（２）および第２可動部材（２ａ）の板面において一部円環状に形成され、外周に螺合部を有する第３係合部（４）と、第１可動部材（２）および第２可動部材（２ａ）の板面において一部円環状に形成され、外周に螺合部を有する第４係合部（４ａ）を更に具備することを特徴とする。
【００１０】
請求項３の発明によるレンズキャップは、請求項２において、一部円環状の第１係合部（３）と一部円環状の第２係合部（３ａ）とが、略同一の径であり、一部円環状の第３係合部（４）と一部円環状の第４係合部（４ａ）とが略同一の径であり、第１係合部（３）および第２係合部（３ａ）の径と第３係合部（４）および第４係合部（４ａ）の径とが、異なることを特徴とする。
【００１１】
請求項３の発明によるレンズキャップは、請求項２において、第１係合部（３）および第２係合部（３ａ）が一のフィルタ径に対応しているときに、第３係合部（４）および第４係合部（４ａ）が他のフィルタ径に対応することを特徴とする。
【００１２】
請求項４の発明によるレンズキャップは、請求項１において、保持部材の中央部に貫通孔（２１ａ）を有することを特徴とする。
【００１３】
請求項５の発明によるレンズキャップは、請求項１において、保持部材の中央部が光透過性材料（２１）から成ることを特徴とする。
【００１４】
【発明の実施の形態】
以下、本発明の実施の形態を図面に基づいて説明する。
【００１５】
図１〜図４は、本発明によるレンズキャップの第１実施形態を示す正面図、背面図、および断面図である。
【００１６】
図１において、レンズキャップ２００は、円板状のベース部材１に板状のつまみ２が取り付けられている。つまみ２は、ベース部材１に対して図１の上下方向に摺動する。つまみ２は、円環状に形成された外側突起部３及び内側突起部４を有する。内側突起部４の外周にはねじ部５２が設けられている。
【００１７】
図２は、レンズキャップ２００の背面図である。つまみ２は円環の一部をなす形状に形成された外側突起部３ａを有し、外側突起部３ａの外周にはねじ部５１が設けられている。バネ５は、つまみ２をべース部材１に対して外側方向に付勢する。フック１１及び１２は、つまみ２がべース部材１からバネ５の付勢力により外側方向に抜けることを防止する。これらにより、つまみ２はべース部材１の半径方向に摺動する可能である。
【００１８】
図３は、大径レンズ鏡筒１００にレンズキャップ２００を取り付けた状態を示す断面図である。大径レンズ鏡筒１００は、一群レンズ１０２よりも被写体側にねじ部１０１を有し、ねじ部１０１と外側突起部３ａの外周ねじ部５１とが螺合することによって、大径レンズ鏡筒１００にレンズキャップ２００が取り付け固定される。
【００１９】
大径レンズ鏡筒１００にはフード１５が取り付けられているが、フード１５を取り外すことなくレンズキャップ２００の着脱が可能である。即ち、レンズキャップ２００を装着さる際には、内側突起部４を中心方向に向かって指で挟んで収縮させた状態でねじ部１０１とねじ部５１とを螺合させることにより、フード１５を取り外すことなく装着が可能になる。また、レンズキャップ２００を取り外す際には、内側突起部４を中心方向に向かって収縮させることによってねじ部１０１とねじ部５１との螺合を解除して、そのまま被写体方向（図３の左方向）に抜出すことにより、フード１５を取り外すことなく取り外しが可能になる。このとき、内側突起部４のねじ部５２は、指を掛けたときの滑り止めの役割を果たし、容易で確実な着脱が可能となる。
【００２０】
図４は、小径レンズ鏡筒１１０にレンズキャップ２００を取り付けた状態を示す断面図である。小径レンズ鏡筒１１０は、一群レンズ１１２よりも被写体側にねじ部１１１を有し、ねじ部１１１と内側突起部４の外周ねじ部５２とが螺合することによって、小径レンズ鏡筒１１０にレンズキャップ２００が取り付け固定される。このとき、外側突起部３ａのねじ部５１は、指を掛けたときの滑り止めの役割を果たし、容易で確実な着脱が可能となる。
【００２１】
図５〜図８は、本発明によるレンズキャップの第２実施形態を示す正面図、背面図、および断面図である。図中、図１〜図４と同じ構成部分には同じ参照番号を付して重複した説明を省略する。
【００２２】
図５に示すように、レンズキャップ３００のベース部材１には、貫通孔２１ａが形成され、貫通孔２１ａを覆うように保護レンズ２１が不図示の固定部材によってベース部材１に取り付けられている。図６は、レンズキャップ３００の背面図である。図７は、小径レンズ鏡筒１１０にレンズキャップ３００を取り付けた状態を示す断面図である。被写体からの撮影光は、保護レンズ２１および一群レンズ１１２を透過してフィルム面（図示せず）へと導かれる。なお、保護レンズ２１の代りに、透過率特性補正、偏向、減光、色補正、クローズアップ、コンバータ、特殊効果等の性能を有する光学材料を用いても良い。この第２実施形態では、外側突起部３ａを中心方向に向かって収縮させることにより、レンズキャップ３００の着脱を容易に行うことができる。このとき、外側突起部３ａのねじ部５１は、指を掛けたときの滑り止めの役割を果たし、容易で確実な着脱が可能となる。
【００２３】
図８は、外側突起部３ａのねじ部５１に、フィルタ１２０を取り付けた状態を示す断面図である。フィルター径には規格があり、一般にはΦ５２ｍｍ・Φ５８ｍｍ・Φ６２ｍｍ・Φ６７ｍｍ・Φ７７ｍｍがある。本実施形態では、ねじ部５２がΦ５２ｍｍに対応する状態で小径レンズ鏡筒１１０に係合しているときに、ねじ部５１はΦ６２ｍｍに対応する状態になっている。フィルタ１２０には、保護、透過率特性補正、偏向、減光、色補正、クローズアップ、コンバータ、特殊効果等の性能を有するフィルタガラス１２３が用いられている。また、フィルタ１２０には、メスねじ部１２１及びオスねじ部１２２が設けられており、小径レンズ鏡筒１１０の径よりも大径のフィルタ等が使用可能である。
【００２４】
図９〜図１４は、本発明によるレンズキャップの第３実施形態を示す正面図、背面図、および断面図である。図中、図１〜図８と同じ構成部分には同じ参照番号を付して重複した説明を省略する。
【００２５】
図９および図１０において、つまみ２には、外側突起部３及び３ａと、内側突起部４及び４ａが形成されている。外側突起部３にはねじ部５３が形成され、外側突起部３ａにはねじ部５１が形成されている。また、内側突起部４にはねじ部５２が形成され、内側突起部４ａにはねじ部５４が形成されている。
【００２６】
図１１では、レンズキャップ４００（外側突起部３ａ）のねじ部５１が大径レンズ鏡筒１００のねじ部１０１と螺合することにより、レンズキャップ４００が大径レンズ鏡筒１００に取り付け固定されている。
【００２７】
図１２では、レンズキャップ４００（内側突起部４ａ）のねじ部５４が小径レンズ鏡筒１０６のねじ部１０７と螺合することにより、レンズキャップ４００が小径レンズ鏡筒１０６に取り付け固定されている。
【００２８】
図１３では、レンズキャップ４００（外側突起部３）のねじ部５３が大径レンズ鏡筒１０３のねじ部１０４と螺合することにより、レンズキャップ４００が大径レンズ鏡筒１０３に取り付け固定されている。
【００２９】
図１４では、レンズキャップ４００（内側突起部４）のねじ部５４が小径レンズ鏡筒１１０のねじ部１１１と螺合することにより、レンズキャップ４００が小径レンズ鏡筒１１０に取り付け固定されている。
【００３０】
この第３実施形態によれば、つまみ２に、外側突起部３及び３ａと内側突起部４及び４ａとが形成されているので、第１実施形態の効果に加えて、より多種類のレンズ鏡筒径やフィルター径に対応することが可能となる。更に多種類のレンズ鏡筒径やフィルター径に対応するために、外側突起部や内側突起部の数を増やすことも可能である。
【００３１】
【発明の効果】
以上のように、本発明のレンズキャップによれば、交換レンズ毎に異なる先端部のねじ径に対応する複数のレンズキャップやフィルタ等のアクセサリーを用意する煩わしさを解消することが可能となる。
【図面の簡単な説明】
【図１】本発明によるレンズキャップの第１実施形態を示す正面図である。
【図２】本発明によるレンズキャップの第１実施形態を示す背面図である。
【図３】本発明によるレンズキャップの第１実施形態を示す断面図である。
【図４】本発明によるレンズキャップの第１実施形態を示す断面図である。
【図５】本発明によるレンズキャップの第２実施形態を示す正面図である。
【図６】本発明によるレンズキャップの第２実施形態を示す背面図である。
【図７】本発明によるレンズキャップの第２実施形態を示す断面図である。
【図８】本発明によるレンズキャップの第２実施形態を示す断面図である。
【図９】本発明によるレンズキャップの第３実施形態を示す正面図である。
【図１０】本発明によるレンズキャップの第３実施形態を示す背面図である。
【図１１】本発明によるレンズキャップの第３実施形態を示す断面図である。
【図１２】本発明によるレンズキャップの第３実施形態を示す断面図である。
【図１３】本発明によるレンズキャップの第３実施形態を示す断面図である。
【図１４】本発明によるレンズキャップの第３実施形態を示す断面図である。
【符号の説明】
１　　ベース部材
２　　つまみ
３　　外側突起部
３ａ　外側突起部
４　　内側肉起部
４ａ　内側肉起部
５　　付勢バネ
１１　　抜け止め
１２　　抜け止め
１５　　フード
２１　　保護ガラス
５１　　ねじ部
５２　　ねじ部
５３　　ねじ部
５４　　ねじ部
【図１】
2004077770.tif 000003
【図２】
2004077770.tif 000004
【図３】
2004077770.tif 000005
【図４】
2004077770.tif 000006
【図５】
2004077770.tif 000007
【図６】
2004077770.tif 000008
【図７】
2004077770.tif 000009
【図８】
2004077770.tif 000010
【図９】
2004077770.tif 000011
【図１０】
2004077770.tif 000012
【図１１】
2004077770.tif 000013
【図１２】
2004077770.tif 000014
【図１３】
2004077770.tif 000015
【図１４】
2004077770.tif 000016